(57)【要約】【課題】フレキシブル基板を必要な沿面距離を確保させて一側機器体と他側機器体との間に安定的に配設した折畳み電子機器の提供。【解決手段】一側絶縁筒部２１と他側絶縁筒部２５とを収容する空間部を有して一側機器体と他側機器体とを折り畳み自在に連結するヒンジ体を備え、一側接続部１４と他側接続部１５とを斜行片部１２を介して雁行させたフレキシブル基板１１のうち、斜行片部１２は、折り返し方向に巻いて一側絶縁筒部２１に設けた一側引出し口２３と他側絶縁筒部２５に設けた他側引出し口２７とからそれぞれの対応部位を引き出して、これら一側絶縁筒部２１と他側絶縁筒部２５との内側に巻回部１３として収容するとともに、一側接続部１４は、前記一側機器体が備える一側基板３９に、他側接続部１５は、前記他側機器体が備える他側基板４９にそれぞれ電気的に接続させた。【選択図】図１
2009015544.tif 000002
【特許請求の範囲】
【請求項１】
小径開口部側を大径開口部に差し込んで組み合わされる一側絶縁筒部と他側絶縁筒部とを収容する空間部を有して一側機器体と他側機器体とを折り畳み自在に連結するヒンジ体を備え、
一側接続部と他側接続部とを斜行片部を介して反対方向に雁行させたフレキシブル基板のうち、前記斜行片部は、折り返し方向に巻いて前記一側絶縁筒部の軸方向に設けた一側引出し口と前記他側絶縁筒部の軸方向に設けた他側引出し口とからそれぞれの対応部位を引き出して、これら一側絶縁筒部と他側絶縁筒部との内側に巻回部として収容するとともに、前記一側接続部は、前記一側機器体が備える一側基板に、前記他側接続部は、前記他側機器体が備える他側基板にそれぞれ電気的に接続させたことを特徴とする折畳み電気計測器。
【請求項２】
前記一側絶縁筒部と前記他側絶縁筒部とは、ヒンジ体の前記空間部内に定置させるべく嵌合配置した請求項１に記載の折畳み電気計測器。
【発明の詳細な説明】
【技術分野】
【０００１】
本発明は、一側機器体と他側機器体とを折り畳み自在に連結するヒンジ体を利用して、必要な沿面距離を確保させ、かつ、耐久性を保持させながらフレキシブル基板を一側機器体と他側機器体との間に介在配置させた折畳み電気計測器に関する技術である。
【背景技術】
【０００２】
近時、携帯電話、パソコン、ＰＤＡ（携帯情報端末）などの折畳み電子機器は、一側機器体と他側機器体とをヒンジ体を介して連結することで、折り畳んでさらに小さくした状態にして携行できるようになっている。
【０００３】
しかも、この種の折畳み電子機器は、一側機器体が備える一側基板と他側機器体が備える他側基板とを電気的に接続するために、例えば下記特許文献１に開示されているようにヒンジ体を利用してフレキシブル基板を介在配置させることで形成されている例が多い。
【特許文献１】特開２００４−１７８８５２号公報
【０００４】
上記引用文献１によれば、フレキシブル基板は、ヒンジ体が位置する部位がスパイラル状に巻いた屈曲変形部として筐体内に収容されているので、折り畳みを繰り返しても断線することがなく、耐久性を高めてやることができる。
【発明の開示】
【発明が解決しようとする課題】
【０００５】
しかし、特許文献１の開示技術は、微弱な電流が流れる携帯電話に関するものであることから、沿面距離について特に配慮する必要がないものの、使用中に瞬間的に大電流が流れるおそれがある電流計などのような折畳み電気計測器に適用する場合には、必要な沿面距離が確保されず、安全対策上の問題を残す不都合があった。
【０００６】
本発明は、従来技術の上記課題に鑑みてなされたものであり、必要な沿面距離を確保させ、かつ、耐久性を保持させながらフレキシブル基板を一側機器体と他側機器体との間に配設した折畳み電気計測器を提供することに目的がある。
【課題を解決するための手段】
【０００７】
本発明は、上記目的を達成すべくなされたものであり、小径開口部側を大径開口部に差し込んで組み合わされる一側絶縁筒部と他側絶縁筒部とを収容する空間部を有して一側機器体と他側機器体とを折り畳み自在に連結するヒンジ体を備え、一側接続部と他側接続部とを斜行片部を介して反対方向に雁行させたフレキシブル基板のうち、前記斜行片部は、折り返し方向に巻いて前記一側絶縁筒部の軸方向に設けた一側引出し口と前記他側絶縁筒部の軸方向に設けた他側引出し口とからそれぞれの対応部位を引き出して、これら一側絶縁筒部と他側絶縁筒部との内側に巻回部として収容するとともに、前記一側接続部は、前記一側機器体が備える一側基板に、前記他側接続部は、前記他側機器体が備える他側基板にそれぞれ電気的に接続させたことを最も主要な特徴とする。
【０００８】
この場合、前記一側絶縁筒部と前記他側絶縁筒部とは、ヒンジ体の前記空間部内に定置させるべく嵌合配置するのが好ましい。
【発明の効果】
【０００９】
請求項１に記載の発明によれば、フレキシブル基板における斜行片部は、これを折り返し方向に巻いて一側絶縁筒部の軸方向に設けた一側引出し口と他側絶縁筒部の軸方向に設けた他側引出し口とからそれぞれの対応部位を引き出した状態でこれら一側絶縁筒部と他側絶縁筒部との内側に巻回部として収容させることができるので、組み合わせた一側絶縁筒部と他側絶縁筒部との合計長さ分だけの沿面距離を確保して十分な絶縁をとることができる。
【００１０】
請求項２に記載の発明によれば、組み合わせた後の一側絶縁筒部と前記他側絶縁筒部とは、ヒンジ体の空間部内に嵌合配置することで定置させることができるので、フレキシブル基板の動きを規制して耐久性の向上により有効に寄与させることができる。
【発明を実施するための最良の形態】
【００１１】
図１は、本発明に組み込まれるフレキシブル基板の一例を示す説明図であり、そのうちの（ａ）は組み込み前の全体斜視図を、（ｂ）は一側筒部と他側筒部とに実際に組み込んだ際の全体斜視図を、（ｃ）は（ｂ）との対応関係のもとで一側筒部と他側筒部とを引き離した際の全体斜視図を、（ｄ）は（ｂ）とは逆向きにした全体斜視図をそれぞれ示す。
【００１２】
同図によれば、フレキシブル基板１１は、例えば４０度方向などの適宜の角度方向に斜行させた斜行片部１２と、該斜辺片部１２を介して反対方向に平行に雁行配置される一側接続片部１４と他側接続片部１５とでその全体が形成されている。
【００１３】
このうち、斜行片部１２は、適宜長さが付与されて一側接続片部１４と他側接続片部１５との間の中央部位に位置するようにして形成されている。
【００１４】
また、一側接続片部１４は、斜行片部１２の一方の開放端側から該斜辺片部１２と交差する直進方向に適宜長さ延設された直進部１４ａと、該直進部１４ａの開放端部に形成された接続用電極１４ｂとを備えている。
【００１５】
さらに、他側接続片部１５は、斜行片部１２の他方の開放端側から該斜行片部１２と交差する直進方向に適宜長さ延設された直進部１５ａと、該直進部１５ａの開放端部に形成された接続用電極１５ｂとを備えている。
【００１６】
この場合、斜行片部１２は、一側接続片部１４と他側接続片部１５とのそれぞれを反対方向に折り返すことにより、図１（ｃ）および（ｄ）に示されているように巻回部１３を形成して使用される。
【００１７】
そして、フレキシブル基板１１の斜行片部１２に形成された巻回部１３は、一側絶縁筒部２１と他側絶縁筒部２５との内側に図１（ｂ）に示すようにして収容されることになる。
【００１８】
この場合、一側絶縁筒部２１は、図１（ｃ）に示す状態では右側に大径開口部２２を備え、フレキシブル基板１１の一側接続片部１４における直進部１４ａを送り出す方向に角筒状に仕切られて大径開口部２２と連通する一側引出し口２３が形成されている。なお、該一側引出し口２３は、図１（ｄ）に示す状態で右側面を閉止して角筒状に張り出させたガイド部２４を介して直進部１４ａの引き出し方向を規制することができるようになっている。
【００１９】
また、他側絶縁筒部２５は、図１（ｄ）に示す状態で右側に位置する小径開口部２６を有しており、フレキシブル基板１１の他側接続片部１５における直進部１５ａを送り出す方向に小径開口部２６と連通させた他側引出し口２７が形成されている。
【００２０】
この場合、一側絶縁筒部２１の大径開口部２２内には、他側絶縁筒部２５の小径開口部２６側がそのフランジ部２９が当接する位置にまで差し込まれて図１（ｂ）に示すように組み合わされることになる。なお、他側絶縁筒部２５の小径開口部２６側には、図１（ｃ），（ｄ）に示されているように外方に張り出させた小突起片２８が形成されており、一側引出し口２３と他側引出し口２７とが逆向きとなるように組み合わせた際に、小突起片２８がガイド部２４の内側に当接して回転を阻止することができるようになっている。
【００２１】
一方、図１（ｂ）に示すようにして組み合わされたフレキシブル基板１１と一側絶縁筒部２１と他側絶縁筒部２５とが組み込まれる図２に示す一側機器体３１と他側機器体４１とは、図３に示すようにヒンジ体５１を介して折り畳み自在に連結されて一体化されている。
【００２２】
このうち、一側機器体３１は、表示部３２などを備える外側筐体部３２と、図１（ｂ）に示されているようにフレキシブル基板１１の一側接続片部１４が備える接続用電極１４ｂと接続され一側基板３９などを備える内側筐体部３４とを一体化することで形成されている。
【００２３】
また、他側機器体４１は、外側筐体部４２と、電池収納ボックス４５や図１（ｂ）に示されているようにフレキシブル基板１１の他側接続片部１５が備える接続用電極１５ｂと接続され他側基板４９などを備える内側筐体部４４とを一体化することで形成されている。
【００２４】
図４は、一側機器体３１と他側機器体４１とを折り畳み自在に連結するヒンジ体５１とフレキシブル基板１１側との具体的な配置関係を示す要部拡大斜視図であり、そのうちの（ａ）は開いた状態を、（ｂ）は折り畳んだ状態をそれぞれ示す。
【００２５】
同図によれば、一側機器体３１における内側筐体部３４と、他側機器体４１における内側筐体部４４とは、ヒンジ体５１を介して折り畳み自在に連結されている。
【００２６】
これをより詳しく説明すれば、一側機器体３１の内側筐体部３４の側板部３４ａには、図４（ｂ）において左右方向として示される各角部からやや内側に位置する部位にヒンジ片部５３とヒンジ片部６３とが各別に突設されている。
【００２７】
また、他側機器体４１の内側筐体部４４の側板部４４ａには、一側機器体３１のヒンジ片部５３，６３を外側から挟む配置関係のもとでヒンジ片部５４とヒンジ片部６４とが各別に突設されている。
【００２８】
一側機器体３１のヒンジ片部５３と他側機器体４１のヒンジ片部５４とは、支軸５５を介して回転自在に軸支されて一側ヒンジ部５２を形成している。また、一側機器体３１のヒンジ片部６３と他側機器体４１のヒンジ片部６４とは、支軸６５を介して回転自在に軸支されて他側ヒンジ部６２を形成している。そして、ヒンジ体５１は、これら一側ヒンジ部５２と他側ヒンジ部６２とで構成されることになる。
【００２９】
しかも、ヒンジ体５１における一側ヒンジ部５２と他側ヒンジ部６２との間には、図１（ｂ）に示すように組み合わされたフレキシブル基板１２の巻回部１３と、該巻回部１３を収容した一側絶縁筒部２１と他側絶縁筒部２５とを安定的に収容配置することができる空間部５７が形成されている。なお、図４（ｂ）中の符号６６は、ヒンジ片部６４と一体形成されて他側絶縁筒部２５側を覆う囲壁部を示す。
【００３０】
該空間部５７は、相手部材である他側絶縁筒部２５が備えるフランジ部２９が落とし込まれて嵌り合う溝部４６を図４（ｂ）に示すように内側筐体部４４に設けるなどして、一側絶縁筒部２１と他側絶縁筒部２５とを安定的に定置できるようになっている。
【００３１】
次に、上記構成からなる本発明の作用・効果を説明すれば、フレキシブル基板１１は、図１（ａ）に示す斜行辺部１２を図１（ｃ），（ｄ）に示す巻回部１３とした上で、一側絶縁筒部２１の一側引出し口２３からは一側接続片部１４側を、他側絶縁筒部２５の他側引出し口２７からは他側接続片部１５側をそれぞれ引き出しながら、巻回部１３を一側絶縁筒部２１と他側絶縁筒部２５との内部空間内に位置させて図１（ｂ）に示す状態に組み立ててユニット化することができる。
【００３２】
このようにしてユニット化されたフレキシブル基板１１と一側絶縁筒部２１と他側絶縁筒部２５とは、図４（ｂ）に示すようにヒンジ体５１を構成している一側ヒンジ部５２と他側ヒンジ部６２との間に確保される空間部５７内に配設される。
【００３３】
この場合、空間部５７内には、相手部材である他側絶縁筒部２５が備えるフランジ部２９が落とし込まれる溝部４６を内側筐体部４４側に設けるなどして、ユニット化された一側絶縁筒部２１と他側絶縁筒部２５とが定置されることになる。
【００３４】
また、一側絶縁筒部２１側から引き出されたフレキシブル基板１１の一側接続片部１４は、一側機器体３１の内側筐体部３４が備える一側基板３９にその接続用電極１４ｂを介して電気的に接続される。
【００３５】
さらに、他側絶縁筒部２５側から引き出されたフレキシブル基板１１の他側接続片部１５は、他側機器体４１の内側筐体部４４が備える他側基板４９にその接続用電極１５ｂを介して電気的に接続される。
【００３６】
しかる後、図２に示すように内側筐体部３４に外側筐体部３２を取り付けて一体化された一側機器体３１と、内側筐体部４４に外側筐体部４２を取り付けて一体化された他側機器体４１とは、図３に示すようにヒンジ体５１を介して連結された折り畳み電気計測器として用いることができることになる。
【００３７】
この場合、フレキシブル基板１１の斜行片部１２により形成される巻回部１３は、その全てをユニット化された一側絶縁筒部２１と他側絶縁筒部２５との内部空間内に収容させることができるので、一側絶縁筒部２１と他側絶縁筒部２５とのユニット長分の沿面距離を確保することができる。
【００３８】
したがって、計測中に瞬間的に大電流が流れることがあっても、上記沿面距離によりヒンジ体５１部位で確実な絶縁をとることができ、それだけ安全裡にに計測作業を遂行することができる。
【００３９】
また、折り畳みが繰り返されることにより疲弊しがちなフレキシブル基板１１は、最も動きが激しい巻回部１３がユニット化された一側絶縁筒部２１と他側絶縁筒部２５との内部空間内にて定置され、かつ、直進部１４ａ，１５ａ側も一側引出し口２３と他側引出し口２７とを介して円滑に揺動させることができるので、その耐久性を大幅に向上させることができる。
【図面の簡単な説明】
【００４０】
【図１】本発明に組み込まれるフレキシブル基板の一例を示す説明図であり、そのうちの（ａ）は組み込み前の全体斜視図を、（ｂ）は一側筒部と他側筒部とに実際に組み込んだ際の全体斜視図を、（ｃ）は（ｂ）との対応関係のもとで一側筒部と他側筒部とを引き離した際の全体斜視図を、（ｄ）は（ｂ）とは逆向きにとした全体斜視図をそれぞれ示す。
【図２】本発明を構成している一側側機器体と他側機器体との一例を引き離して示す全体斜視図。
【図３】本発明の全体形状例を示す全体斜視図。
【図４】本発明を構成している一側機器体と他側機器体とを折り畳み自在に連結するヒンジ体とフレキシブル基板側との具体的な配置関係を示す要部拡大斜視図であり、そのうちの（ａ）は開いた状態を、（ｂ）は折り畳んだ状態をそれぞれ示す。
【符号の説明】
【００４１】
１１  フレキシブル基板
１２  斜行片部
１３  巻回部
１４  一側接続片部
１４ａ  直進部
１４ｂ  接続用電極
１５  他側接続片部
１５ａ  直進部
１５ｂ  接続用電極
２１  一側絶縁筒部
２２  大径開口部
２３  一側引出し口
２４  ガイド部
２５  他側絶縁筒部
２６  小径開口部
２７  他側引出し口
２８  小突起片
２９  フランジ部
３１  一側機器体
３２  外側筐体部
３３  表示部
３４  内側筐体部
３４ａ  側板部
３９  一側基板
４１  他側機器体
４２  外側筐体部
４４  内側筐体部
４４ａ  側板部
４５  電池収納ボックス
４６  溝部
４９  他側基板
５１  ヒンジ体
５２  一側ヒンジ部
５３，５４  ヒンジ片部
５５  支軸
５７  空間部
６２  他側ヒンジ部
６３，６４ヒンジ片部
６５  支軸
６６  囲壁部
【図１】
2009015544.tif 000003
【図２】
2009015544.tif 000004
【図３】
2009015544.tif 000005
【図４】
2009015544.tif 000006